(57)【要約】【課題】堆肥化用のバッグにおいて、バッグの下層にある十分に発酵した堆肥だけを容易に取り出すことができるようにしたバッグを提案する。【解決手段】通気性・通水性を有する素材からなる有底円筒状の胴部と、その上面開口を開閉自在に閉止する上蓋からなるバッグであって、上記胴部の側周面の下縁に、開閉具で開閉自在であり、その開口部の一辺が上記下縁と一致する開口部を形成する開閉扉を設けて堆肥化用バッグとするという手段を採用した。そして、上記開閉扉は、略Ｕ字状に設けるファスナーによって下から上に開く開口部を形成して開閉自在とするという手段、または、逆Ｕ字状に設けるファスナーによって上から下に開く開口部を形成して開閉自在とするという手段を採用した。【選択図】図１
0003167131.tif 000002
【実用新案登録請求の範囲】
【請求項１】
通気性・通水性を有する素材からなる有底円筒状の胴部と、その上面開口を開閉自在に閉止する上蓋からなるバッグであって、上記胴部の側周面の下縁に、開閉具で開閉自在であり、その開口部の一辺が上記下縁と一致する開口部を形成する開閉扉を設けることを特徴とする堆肥化用バッグ。
【請求項２】
開閉扉は、略Ｕ字状に設けるファスナーによって下から上に開く開口部を形成して開閉自在とした請求項１記載の堆肥化用バッグ。
【請求項３】
開閉扉は、逆Ｕ字状に設けるファスナーによって上から下に開く開口部を形成して開閉自在とした請求項１記載の堆肥化用バッグ。
【請求項４】
上記胴部の上縁及び下縁の近傍にフープ環をそれぞれ取り付けると共に、胴部側周面の垂直方向に複数の支持棒を取り付けて自立可能とした請求項１から請求項３のいずれか１項記載の堆肥化用バッグ。
【考案の詳細な説明】
【技術分野】
【０００１】
本考案は、枯れ葉や落ち葉などを材料として、堆肥を製造するための簡易なバッグに関するものである。
【背景技術】
【０００２】
従来から、枯れ葉や落ち葉などを活用して、これを堆肥にするためのバッグは公知である。これらを堆肥化することは、ごみの減量やごみの処分費用の軽減となると共に、循環リサイクルとして環境問題にも貢献するものである。
【先行技術文献】
【特許文献】
【０００３】
【特許文献１】特開２００８−０８１３５４号公報
【特許文献２】特開２００８−１８９５１４号公報
【考案の概要】
【考案が解決しようとする課題】
【０００４】
上記特許文献に示された２件の堆肥化袋は、いずれも出願人に係る発明である。そして、これらの袋は、いずれも網状体で円筒状の本体、及び底面を設け、上側にはファスナーなどで開閉可能な蓋が設けられている。
【０００５】
公知の堆肥化袋を利用するには、先ず晩秋や初冬に落ち葉が多い場所に設置し、上側の蓋を開いた状態で次々と枯れ葉、落ち葉、及び枯れ枝などを投入する。そして満杯になればいったん投入作業を中止して放置し、内容物の嵩が低くなれば再度これらを投入する。これを屋外に放置すれば、約５〜６月で堆肥が出来上がる。
【０００６】
ところで、従来の堆肥化袋は、業務用を目的として発明されたものであり、その容量が大きい。また、堆肥は底のほうから出来上がっていくので、十分に発酵した堆肥を利用しようとすると、底から取り出さなければならないという困難がある。これを解消するために、特許文献１では底面にフックを設けておき、クレーンなどで天地逆に吊り上げてすべての堆肥を取り出すようにしている。しかし、これでは、大がかりな作業となると共に、上方部分の十分に発酵していない堆肥も同時に取り出すことになり、堆肥の利用に問題が残る。
【０００７】
本考案では、上記実情に鑑み、この種の堆肥化用のバッグにおいて、バッグの下層にある十分に発酵した堆肥だけを容易に取り出すことができるようにしたバッグを提案する。
【課題を解決するための手段】
【０００８】
上記課題を解決するため、本考案は、通気性・通水性を有する素材からなる有底円筒状の胴部と、その上面開口を開閉自在に閉止する上蓋からなるバッグであって、上記胴部の側周面の下縁に、開閉具で開閉自在であり、その開口部の一辺が上記下縁と一致する開口部を形成する開閉扉を設けて堆肥化用バッグとするという手段を採用した。
【０００９】
枯れ葉や落ち葉などが腐葉土化した堆肥は、バッグの底のほうから発酵・熟成されていくので、側周面の下縁に開閉扉を設けたことにより、下層の堆肥だけをその開口部から取り出すことが可能となった。
【００１０】
そして、上記開閉扉は、略Ｕ字状に設けるファスナーによって下から上に開く開口部を形成して開閉自在とするという手段を採用した。
【００１１】
また別に、上記開閉扉は、逆Ｕ字状に設けるファスナーによって上から下に開く開口部を形成して開閉自在とするという手段を採用した。
【００１２】
上記開閉扉をファスナーによって開閉自在とすることで、簡便に扉の開け閉めができ、開口方向によって、耐久性や利便性を得ることができる。
【００１３】
そして、上記胴部の上縁及び下縁の近傍にフープ環をそれぞれ取り付けると共に、胴部側周面の垂直方向に複数の支持棒を取り付けて自立可能とするという手段を採用した。
【００１４】
バッグ自体が自立可能であるので、そのまま屋外に設置して枯れ葉や落ち葉が投入可能であり、下縁から堆肥を取り出す際も、そのままで作用を行うことができる。
【考案の効果】
【００１５】
上記構成にかかる本考案の堆肥化用バッグは、胴部側周面の下縁に、その開口部の一辺が該下縁と一致する開閉扉を設けているので、バッグの底のほうから順次熟成していく堆肥のうち、下層の堆肥だけを開口部から容易に取り出すことが可能であり、従来のようにバッグを天地逆に吊り上げるといった大がかりな作業が必要でなく、利便性が高まるものである。
【００１６】
そして、枯れ葉や落ち葉を堆肥化するので、従来ごみとして処分していた枯れ葉等を処分せずに堆肥化できる。そのため、ごみの減量や、ごみの処分にかかる費用を軽減することが可能となる優れた考案である。また、できた堆肥は木々の育成に利用できるので、循環リサイクルとして貢献できるものである。
【００１７】
また、開閉扉の開閉方向を選択することで、耐久性や利便性に優れた堆肥化バッグとして活用できる。
【００１８】
さらに、自立可能としているので、そのまま設置して、枯れ葉や落ち葉が投入可能であり、堆肥が熟成された後も、自立させたまま側周面から堆肥を取り出すことができ、堆肥の効率的な利用が促進されるものである。
【図面の簡単な説明】
【００１９】
【図１】本考案に係る堆肥化用バッグの実施形態の斜視図である。
【図２】他の実施形態の斜視図である。
【考案を実施するための形態】
【００２０】
以下、本考案に係る堆肥化用バッグの好ましい実施形態を、添付した図面について説明する。図１において、１は、堆肥化用バッグの有底円筒状の胴部で、メッシュ地等の通気性及び通水性を有する素材を適宜バッグ状に縫製してなる。２は、上記胴部１の上面開口を閉止する上蓋で、ファスナーなどの閉止具によって自由に開閉可能としている。この上蓋２もメッシュ地等からなる。このようなメッシュ地等を採用することで、収容した枯れ葉や落ち葉の発酵・熟成が進行する。
【００２１】
３、４は、上記胴部１の上縁及び下縁の近傍に取り付けたフープ環で、胴部１の開口部及び底部を補強し、その形状を円状に規定するものである。５、５・・は、上記胴部１の側周面において、適当間隔で垂直方向に適宜な帯布を介して取り付けた支持棒であり、バッグ全体を円筒状に自立させるためのものである。６は、胴部１の上縁に設けたバッグ吊り下げ用の持ち手である。なお、かかる構成は、従来からあるこの種の堆肥化用バッグにほぼ共通する構成であり、自立手段はこれに限定するものではない。
【００２２】
次に、７は、上記胴部１の側周面の下縁に設ける開閉扉で、ファスナーなどの開閉具８によって開閉自在としたものである。図１においては、この開閉扉７は、矩形のうち上辺一辺を残して残りの三辺に一対のランナーが互いに対向するファスナーを略Ｕ字状に設けて、下から上に開く開口部を形成し、これを開閉自在としたもので、この開口部の一辺が上記胴部側周面の下縁と一致するように設けている。そして、この開閉扉７を上方に捲りあげることによって、バッグの側周面の下縁部分を大きく開放することができる。なお、図では部分的に捲りあげた態様を示しているが、使用時には全開する。
【００２３】
上記構成の堆肥化用バッグは、屋外に設置し、上蓋２を開放して枯れ葉や落ち葉などを満杯になるまで投入する。そして、そのまま放置する。そうすると、袋全体が通気性及び通水性を有する素材で構成されているので、地中の好気性微生物の作用により発酵・熟成が進み、落ち葉や枯れ葉は次第に腐葉土となり、嵩が低くなる。そこで、再び、枯れ葉や落ち葉を満杯になるまで投入する。これを数ヶ月間、繰り返すことによって、バッグには腐葉土が層状に蓄積されてゆき堆肥として利用できるようになる。このとき、下層ほど十分に発酵しているので、下層部分から利用していくことが好ましい。本考案に係る堆肥化用バッグは、自立していると共に、上述したように胴部１の側周面の下縁に、その開口部の一辺が該下縁と一致する開閉扉を設けているので、これを開放することによって、その開口部から、下層に堆積する十分に発酵した腐葉土だけを取り出すことができ、堆肥として活用できる。
【００２４】
続いて、図２は、本考案に係る堆肥化用バッグの他の実施形態を示すものである。この実施形態では、バッグの基本構成は同じであるが、上記開閉扉の構成が異なる。即ち、図２において、開閉扉９は、矩形のうち下辺一辺を除く三辺に一対のランナーが互いに対向するファスナー１０を逆Ｕ字状に設けて、上から下に開く開口部を形成し、開閉自在としたものである。この場合、ファスナーを全開することによって、バッグ胴部の側周面を下縁まで大きく開放することができる。そして、前記と同様、下層に堆積する堆肥を開口部から取り出して利用することができる。
【００２５】
上述したように、上記二つの実施形態では、開閉扉７、９を設けることは共通するが、その開閉方向に違いがある。通常、バッグ内に投入した枯れ葉等が堆肥化するまでに長時間を要するので、その間に堆肥が沈降して胴部が中膨れ状ないし下膨れ状になって硬化し、胴部下方部分において外方向に圧がかかる。このとき、ファスナー部分は、袋地部分より僅かに脆弱となるので、ファスナー部分からの破綻を防止するのには、後者の下辺が袋地である逆Ｕ字状の開閉扉のほうが好ましい。一方、前者の上辺が袋地の略Ｕ字状の開閉扉の場合、扉を全開しなくても底縁部分を開放することができるので、下層の堆肥の取り出しには便利である。このように、耐久性や利便性にそれぞれの利点があるので、袋の大きさ、即ち、中にできる堆肥の量などによって、いずれの方向の開閉扉とするかは、適宜選択できるものとする。また、上記の他、横方向、即ち、コの字状に開閉扉を設けることも可能である。
【００２６】
以上述べたように、本考案に係る堆肥化用バッグは、枯れ葉や落ち葉を投入して堆肥化するので、公園や緑地、学校の校庭等、木々が多く枯れ葉等が大量に生じる場所に設置することで、従来ごみとして処分していた枯れ葉等を処分せずに堆肥化できる。これによって、ごみの減量に大きく貢献すると共に、ごみの収集や運搬にかかる費用を軽減することができ、併せて、できた堆肥により木々を育てるという循環リサイクルに貢献することが可能となる。そして、その堆肥を利用する場合、バッグの下層に堆積する十分に発酵した堆肥だけを開口部から取り出すことが可能であるので、従来のように、バッグを天地逆に吊り下げて堆肥を取り出すといった大がかりな作業を必要としない、利便性に優れた考案である。
【符号の説明】
【００２７】
１    胴部
２    上蓋
３    フープ環
４    フープ環
５    支持棒
６    持ち手
７    開閉扉
８    開閉具（ファスナー）
９    開閉扉
１０    ファスナー
【図１】
0003167131.tif 000003
【図２】
0003167131.tif 000004